(57)【特許請求の範囲】
【請求項１】
シャーシ上において記録媒体を位置決めして吸着保持するとともに、この記録媒体に対して情報信号の記録再生を行う記録媒体装着部と、
上記シャーシ上にこのシャーシに対する接離方向に移動操作可能に配設され、上記記録媒体を保持し、この記録媒体を上記記録媒体装着部に装着させる記録媒体ホルダと、
上記シャーシに対して移動操作可能に配設され、移動操作されることにより、カム機構を介して、上記記録媒体ホルダを該シャーシに対する接離方向に移動操作する制御部材と、
上記制御部材と上記記録媒体ホルダとの間に張架された弾性変位部材とを備え、
上記制御部材は、上記記録媒体ホルダを上記シャーシ側に移動操作することとなる方向に移動操作されるとき、上記弾性変位部材を伸長させつつ移動されることとなされた記録媒体ローディング機構。
【請求項２】
上記制御部材は、上記記録媒体ホルダを上記シャーシより離間する方向に移動操作することとなる方向に移動操作されるとき、上記弾性変位部材の弾性復元力により幇助されつつ移動される請求項１記載の記録媒体ローディング機構。
【発明の詳細な説明】
【０００１】
【発明の属する技術分野】
本発明は、記録媒体をこの記録媒体に対して情報信号の記録再生を行う記録再生装置に装着させる記録媒体ローディング機構に関する技術分野に属する。
【０００２】
【従来の技術】
従来、光ディスクや光磁気ディスクの如き記録ディスクを記録媒体として用いて、情報信号の記録または再生を行うように構成されたディスクプレーヤ装置が提案されている。
【０００３】
このようなディスクプレーヤ装置においては、上記記録ディスクは、中央部に有する円形の位置決め孔（チャッキング孔）を基準として位置決めされて保持される。すなわち、上記ディスクプレーヤ装置は、上記位置決め孔に嵌入される位置決め突起を有しスピンドルモータにより回転操作されるディスクテーブルを有している。
【０００４】
上記ディスクテーブルは、上記位置決め突起を上記記録ディスクの位置決め孔に嵌合させることによりこの記録ディスクを位置決めして保持し、上記スピンドルモータにより回転操作されることにより、該記録ディスクを回転操作する。また、このディスクテーブルは、上記位置決め突起部にマグネットを有している。このマグネットは、上記位置決め孔を閉蓋するようにして上記記録ディスクに取付けられたチャッキングプレートを吸引して、この記録ディスクを上記ディスクテーブル上に保持する。
【０００５】
上記ディスクプレーヤ装置においては、上記ディスクテーブルに保持されて回転操作される記録ディスクは、光学ピックアップ装置により、情報信号の書き込み、または、読み出しを行われる。
【０００６】
そして、上記ディスクプレーヤ装置には、外方側より挿入操作される記録ディスクを搬送してこの記録ディスクを上記ディスクテーブル上に装着させるための記録媒体ローディング機構を有している。
【０００７】
この記録媒体ローディング機構は、上記記録ディスクを保持するホルダ部材と、このホルダ部材をカム機構を介して移動操作するローディングモータとを有して構成されている。
【０００８】
この記録媒体ローディング機構のローディング動作時には、上記ホルダ部材は、上記記録ディスクを保持した状態で、上記ローディングモータの駆動力により、該記録ディスクを上記ディスクテーブル上に装着させる位置まで移動操作される。
【０００９】
そして、この記録媒体ローディング機構のアンローディング動作時には、上記ホルダ部材は、上記ディスクテーブル上に装着された記録ディスクを保持した状態で、上記ローディングモータの駆動力により、該記録ディスクを上記ディスクテーブル上より離脱させ、この記録ディスクを外方側に取り出すことができる位置まで移動操作される。
【００１０】
【発明が解決しようとする課題】
ところで、上述のような記録媒体ローディング機構においては、ローディング動作時には、上記記録ディスクが上記ディスクテーブルのマグネットに吸引されるために、少ない負荷によって動作を完了させることができるが、アンローディング動作時には、該記録ディスクを該マグネットによる吸引力に抗して該ディスクテーブルより離脱させなければならないため、上記ローディングモータに対する負荷が大きなものとなる。
【００１１】
したがって、上記ローディングモータは、アンローディング動作時に加わる負荷に打ち勝つだけの充分な駆動力を発するものとしなければならず、小型化が困難であり、上記記録媒体ローディング機構の全体の小型化、軽量化を阻害している。
【００１２】
そこで、本発明は、上述の実情に鑑みて提案されるものであって、記録媒体を吸着保持する記録媒体装着部を有する記録媒体ローディング機構であって、アンローディング動作時に発生する負荷が軽減され、装置構成の小型化、軽量化が可能となされた記録媒体ローディング機構の提供という課題を解決しようとするものである。
【００１３】
【課題を解決するための手段】
上述の課題を解決するため、本発明に係る記録媒体ローディング機構は、シャーシ上において記録媒体を位置決めして吸着保持するとともにこの記録媒体に対して情報信号の記録再生を行う記録媒体装着部と、該シャーシ上にこのシャーシに対する接離方向に移動操作可能に配設され該記録媒体を保持しこの記録媒体を該記録媒体装着部に装着させる記録媒体ホルダと、該シャーシに対して移動操作可能に配設され移動操作されることによりカム機構を介して該記録媒体ホルダを該シャーシに対する接離方向に移動操作する制御部材と、該制御部材と上記記録媒体ホルダとの間に張架された弾性変位部材とを備え、上記制御部材は、上記記録媒体ホルダを上記シャーシ側に移動操作することとなる方向に移動操作されるとき、上記弾性変位部材を伸長させつつ移動されることとなされたものである。
【００１４】
また、本発明は、上記記録媒体ローディング機構において、上記制御部材は、上記記録媒体ホルダを上記シャーシより離間する方向に移動操作することとなる方向に移動操作されるとき、上記弾性変位部材の弾性復元力により幇助されつつ移動されることとしたものである。
【００１５】
【発明の実施の形態】
以下、本発明の実施の形態を図面を参照しながら説明する。
【００１６】
この例は、本発明に係る記録媒体ローディング機構を、記録媒体としてカートリッジに収納された記録ディスクを用いて情報信号の記録及び再生を行うディスクプレーヤ装置のローディング機構として構成した例である。
【００１７】
このディスクプレーヤ装置において用いる記録ディスクは、いわゆる光ディスクや光磁気ディスクの如き情報信号を記録する記録ディスクであって、薄い筐体状のカートリッジに回転可能に収納されてディスクカートリッジを構成しているものである。
【００１８】
上記光磁気ディスクは、直径が例えば６４ｍｍ程度のポリカーボネイトの如き透明合成樹脂材料よりなるディスク基板に、磁性材料からなる信号記録層が被着形成されて構成されている。
【００１９】
この信号記録層は、集光されたレーザビームの照射等の手段により局所的にいわゆるキュリー温度以上に加熱され、この加熱された部分に外部磁界が印加されることにより、情報信号の書き込みをなされる。このように書き込まれた情報信号は、上記信号記録層にレーザビームの如き直線偏光光束を照射し、この光束の反射光束についての該記信号記録層におけるいわゆるカー効果による偏光方向の回転を検出することにより、読み出すことができる。
【００２０】
また、上記光ディスクは、上記光磁気ディスクのディスク基板と同様のディスク基板に、アルミニウムの如き金属材料よりなる反射層が被着形成されて構成されている。この光ディスクのディスク基板には、射出成形等の手段により、情報信号に対応した微細なピット列が形成されている。
【００２１】
この光ディスクに書き込まれている情報信号は、上記ピット列にレーザビームの如きコヒーレント光光束を照射し、この光束の反射光束についての該記信号記録層における拡散や干渉による光量の変化を検出することにより、読み出すことができる。
【００２２】
そして、上記光磁気ディスク及び光ディスクは、図１９乃至図２２に示すように、カートリッジ１０５，１１６に回転可能に収納されて、ディスクカートリッジを構成している。
【００２３】
上記光磁気ディスクを収納して記録再生兼用ディスクカートリッジ１２０を構成する上記カートリッジ１０５は、一辺の長さが該光磁気ディスクの直径に略々対応した矩形状の主面部を有する薄い筐体状に構成されている。このカートリッジ１０５は、図１９に示すように、上面側の主面部に、上記光磁気ディスクの信号記録面の一部を外方に臨ませるための磁気ヘッド用開口部１２３を有している。また、このカートリッジ１０５は、図２０に示すように、下面側の主面部の上記磁気ヘッド用開口部１２３に対向する位置に光学ピックアップ用開口部１２２を有し、この下面側の主面部の略々中央部分にチャッキング用開口部１１３を有している。この記録再生兼用ディスクカートリッジ１２０は、上記ディスクプレーヤ装置に対して、図１９及び図２０中矢印Ｇで示すように、前方方向に挿入されて装着される。
【００２４】
上記記録再生兼用ディスクカートリッジ１２０のカートリッジ１０５において、上記磁気ヘッド用開口部１２３及び上記光学ピックアップ用開口部１２２は、シャッタ部材１０６に依って開閉可能となされている。このシャッタ部材１０６は、これら開口部１２３，１２２に対応した互いに平行に相対向されたシャッタ板部と、これらシャッタ板部の一端側同士間を連結する連結部とを有して、合成樹脂材料または金属材料により、一体的に構成されている。このシャッタ部材１０６は、上記連結部を、上記カートリッジ１０５の一側部に形成された支持溝部１０７に摺動可能に支持されている。すなわち、上記シャッタ部材１０６は、上記カートリッジ１０５の一側部に沿って後方にスライドされることにより上記各開口部１２３，１２２を開蓋し、後方側より前方にスライドされて初期位置に復帰されると上記各シャッタ板部により該各開口部１２３，１２２を閉蓋する。
【００２５】
そして、上記光ディスクを収納して再生専用ディスクカートリッジ１２１を構成する上記カートリッジ１１６は、一辺の長さが該光ディスクの直径に略々対応した矩形状の主面部を有する薄い筐体状に構成されている。このカートリッジ１１６は、図２１に示すように、上面側の主面部には、開口部を有していない。このカートリッジ１１６は、図２２に示すように、下面側の主面部に光学ピックアップ用開口部１２２を有し、この下面側の主面部の略々中央部分にチャッキング用開口部１１３を有している。この再生専用ディスクカートリッジ１２１は、上記ディスクプレーヤ装置に対して、図２１及び図２２中矢印Ｇで示すように、前方方向に挿入されて装着される。
【００２６】
上記再生専用ディスクカートリッジ１２１のカートリッジ１１６において、上記光学ピックアップ用開口部１２２は、シャッタ部材１１７に依って開閉可能となされている。このシャッタ部材１１７は、上記光学ピックアップ用開口部１２２に対応したシャッタ板部と、このシャッタ板部の一端側に設けられた支持部とを有して、合成樹脂材料または金属材料により、一体的に構成されている。このシャッタ部材１１７は、上記支持部を、上記カートリッジ１１６の一側部に形成された支持溝部１０７に摺動可能に支持されている。すなわち、上記シャッタ部材１１７は、上記カートリッジ１１６の一側部に沿って後方にスライドされることにより上記光学ピックアップ用開口部１２２を開蓋し、後方側より前方にスライドされて初期位置に復帰されると上記シャッタ板部により該光学ピックアップ用開口部１２２を閉蓋する。
【００２７】
上記各シャッタ部材１０６，１１７には、上記連結部または上記支持部の略々中央位置に、側方側に向けて、シャッタ閉蓋孔１０８が開設されている。このシャッタ閉蓋孔１０８は、上記ディスクプレーヤ装置において上記各シャッタ部材１０６，１１７を閉蓋操作するための部材が係合するためのものである。
【００２８】
上記光磁気ディスク及び上記光ディスクの中心部には、円形のチャッキング孔１０４が開設されている。このチャッキング孔１０４は、上面側より、チャッキングプレート１０２により閉蓋されている。このチャッキングプレート１０２は、鉄やステンレスの如き、磁性を有する金属材料により、上記チャッキング孔１０４に略々対応した直径の円盤状に形成されている。これらチャッキング孔１０４及びチャッキングプレート１０２は、上記チャッキング用開口部１１３を介して、上記各カートリッジ１０５，１１６の外方に臨んでいる。
【００２９】
そして、上記各カートリッジ１０５，１１６の下側主面部には、対をなす前方側及び後方側位置決め穴１０９，１１０が形成されている。上記前方側位置決め穴１０９は、上記光学ピックアップ用開口部１２２の前方側の主面部の縁部近傍に位置しており、長径方向が前後方向となされた長円形に形成されている。また、上記後方側位置決め穴１１０は、上記光学ピックアップ用開口部１２２の後方側の主面部の縁部近傍に位置しており、円形に形成されている。
【００３０】
また、上記各カートリッジ１０５，１１６の下側主面部後方側の他側側の縁部近傍には、複数の識別用穴１２４が形成されている。これら識別用穴１２４は、これらカートリッジ１０５，１１６が収納しているディスクの種別や状態、例えば情報信号の記録が可能か否かを識別するためのものである。上記記録再生兼用ディスクカートリッジ１２０のカートリッジ１０５内には、上記識別用穴１２４に対応して、後側面部にセーブノッチ１１４が設けられている。このセーブノッチ１１４は、移動操作されることにより、上記識別用穴１２４のうちの一の内部に進退し、この識別用穴１２４の深さを変えて、情報信号の記録可否の識別状態を切り換える。さらに、これら各カートリッジ１０５，１１６の下側主面部前方側の他側側の縁部には、被係合凹部１１２が形成されている。
【００３１】
上記記録再生兼用ディスクカートリッジ１２０のカートリッジ１０５においては、下側主面部の前方側縁部に、光磁気ディスク識別凹部１１１が形成されている。また、上記再生専用ディスクカートリッジ１２１のカートリッジ１１６においては、下側主面部の前方側縁部に、光ディスクディスク識別凹部１１８が形成されている。これら光磁気ディスク識別凹部１１１と光ディスク識別凹部１１８とは、互いに下側主面部よりの深さが異なっており、この深さの違いにより、収納されているディスクが上記光磁気ディスクか上記光ディスクかを識別できるようになされている。
【００３２】
そして、このディスクプレーヤ装置は、図１及び図２に示すように、上記各ディスクカートリッジ１２０，１２１の大きさに略々対応した大きさのシャーシ１を有して構成されている。
【００３３】
このシャーシ１は、上記ディスクプレーヤ装置の図示しない外筐体内に固定されて配設されるベースフレーム３２に対して、いわゆるフローティング支持されている。すなわち、このシャーシ１の四隅部には、それぞれ支持片８５が突設されている。これら支持片８５には、それぞれダンパ嵌合部８７が設けられている。これらダンパ嵌合部８７には、それぞれダンパ３１が嵌合されている。これらダンパ３１は、ブチルゴムの如き衝撃吸収性を有する材料により、略々円筒状に形成されている。そして、上記シャーシ１は、上記各ダンパ３１に対応して挿通された支持ネジが上記ベースフレーム３２に設けられたネジ孔３３に対応して螺入されることにより、該各ダンパ３１を介して、該ベースフレーム３２により支持されている。
【００３４】
シャーシ１上には、このシャーシ１上において上記記録ディスクを位置決めして吸着保持するとともに、この記録ディスクに対して情報信号の記録再生を行う記録媒体装着部となるディスクカートリッジ装着部が設けられている。
【００３５】
すなわち、上記シャーシ１上には、上記各ディスクカートリッジ１２０，１２１が位置決めされて装着される。上記シャーシ１は、上面部に前後一対の位置決めピン３を有しており、これら位置決めピン３を該各位置決め穴１０９，１１０に対応させて嵌合させることにより、上記各ディスクカートリッジ１２０，１２１を位置決めする。
【００３６】
上記各ディスクカートリッジ１２０，１２１の上記シャーシ１上への装着は、このシャーシ１の上方側にこのシャーシ１に対して接離可能に配設された後述するカートリッジホルダ５４に該ディスクカートリッジ１２０，１２１を挿入しこのカートリッジホルダ５４を移動操作することにより行われる。
【００３７】
すなわち、上記シャーシ１より離間された上記カートリッジホルダ５４に対して上記ディスクカートリッジ１２０，１２１を前方方向に挿入し、このカートリッジホルダ５４に該ディスクカートリッジ１２０，１２１を保持させ、そして、このカートリッジホルダ５４を後述するようにローディング機構により該シャーシ１に近接させることにより、該ディスクカートリッジ１２０，１２１は、該シャーシ１上に装着される。
【００３８】
そして、上記シャーシ１上の略々中央部には、ディスクテーブル２が配設されている。
【００３９】
このディスクテーブル２は、円盤状に形成され、上記シャーシ１に取付けられたスピンドルモータの駆動軸、すなわち、スピンドル軸に中心部を取付けられている。このディスクテーブル２は、上記スピンドル軸が回転駆動されると、このスピンドル軸とともに回転操作される。
【００４０】
このディスクテーブル２は、上面部の中央に、上記記録ディスクの位置決め孔１０４に嵌合する位置決め突起部を有している。この位置決め突起部は、略々円錐台形状に形成され、上記位置決め孔１０４に円滑に嵌入されるようになされている。
【００４１】
また、この位置決め突起部は、外周縁部に弾性変位部を有している。この弾性変位部は、上記位置決め突起部の外方側に向けて突出されて配設され、弾性変位されることにより、該位置決め突起部の外周面に対して出没するようになされている。すなわち、この弾性変位部は、上記位置決め突起部が上記位置決め孔１０４に嵌入されると、この位置決め孔１０４の内周部を弾性的に押圧し、上記記録ディスクをこのディスクテーブル２に対して保持させる。
【００４２】
上記位置決め突起部の上面部には、円環状のマグネットが配設されている。このマグネットは、上記ディスクテーブル２上に保持された記録ディスクの上記チャッキングプレート１０２を吸引し、この記録ディスクを該ディスクテーブル２に対して吸着保持させ、該記録ディスクの該ディスクテーブル２よりの脱落を防止する。
【００４３】
上記位置決め突起部の周囲側には、上記ディスクテーブル２の周囲側部分がフランジ状に突設された状態となっており、上記記録ディスクの上記位置決め孔１０４の周囲部が載置されるディスク載置部が形成されている。
【００４４】
上記ディスクカートリッジ１２０，１２１が上記シャーシ１上に装着されたときには、このディスクカートリッジ１２０，１２１の記録ディスクは、上記チャッキング用開口部１１３を介して、上記位置決め孔１０４に上記ディスクテーブル２の位置決め突起部を嵌合され、また、この位置決め孔１０４の周囲部を上記ディスク載置部上に載置させた状態で、該ディスクテーブル２上に位置決めされて保持される。このとき、上記マグネットは、上記チャッキングプレート１０２を上記ディスクテーブル２側に吸引し、上記記録ディスクを該ディスクテーブル２上に保持する。
【００４５】
そして、このディスクプレーヤ装置においては、上記シャーシ１上には、光学ピックアップ装置４が配設されている。この光学ピックアップ装置４は、光学ブロック部を有し、この光学ブロック部内に、レーザダイオードの如き光源、この光源が発する光束を導く種々の光学デバイス、該光束を集光させて射出する対物レンズ５、及び、該対物レンズ５より射出された光束の反射光束を検出する光検出器を内蔵して構成されている。
【００４６】
この光学ピックアップ装置４は、上記記録ディスクの信号記録面に対して、上記対物レンズ５より射出する光束を照射することにより、該記録ディスクに対する情報信号の書き込み、または、読み出しを行う。
【００４７】
そして、この光学ピックアップ装置４は、図１中矢印Ｊで示すように、上記シャーシ１に対して、上記ディスクテーブル２に対する接離方向に移動可能に配設されている。この光学ピックアップ装置４は、上記シャーシ１に取付けられたガイドシャフト６に沿って、該シャーシ１上に配設されたピックアップ送りモータの駆動力により、駆動力伝達ギヤを介して送り操作される。
【００４８】
上記光学ピックアップ装置４は、上記シャーシ１に対して送り操作されることにより、上記光学ピックアップ用開口部１２２を介して、上記ディスクテーブル２により保持されて回転操作される記録ディスクの信号記録領域の全面に対して、情報信号の書き込み、または、読み出しを行う。
【００４９】
また、上記光学ピックアップ装置４には、上記対物レンズ５に対向する磁気ヘッド装置７がヘッドアーム８を介して取付けられている。上記ディスクカートリッジ１２０，１２１が上記シャーシ１上に装着されたとき、上記記録ディスクは、上記対物レンズ５と上記磁気ヘッド装置７との間に位置される。この磁気ヘッド装置７は、上記磁気ヘッド用開口部１２３を介して、上記記録ディスクに臨む。すなわち、この磁気ヘッド装置７は、上記記録ディスクの上記対物レンズ５が対向される領域に対して、所定の強度の、または、情報信号に応じて変調された磁界を印加できるようになされている。
【００５０】
上記ヘッドアーム８は、回動変位部１０を介して、上記磁気ヘッド装置７が取付けられた先端側部分と上記光学ピックアップ装置４に取付けられた基端側部分とに分断されている。上記回動変位部１０は、回動支軸及びこの回動支軸に巻回された捻りコイルバネを有して構成されている。
【００５１】
上記磁気ヘッド装置７は、上記ヘッドアーム８の先端側部分が上記回動変位部１０の回動支軸回りに回動操作されることにより、図１中矢印Ｈで示すように、上記対物レンズ５に対して接離操作可能となされているとともに、該回動変位部１０の捻りコイルバネにより、該対物レンズ５に接近する方向である降下方向に回動付勢されている。
【００５２】
また、上記シャーシ１上には、上記ヘッドアーム８の先端側部分の下方側に位置して、ヘッド昇降操作板９が設けられている。、このヘッド昇降操作板９は、後縁側部分を支軸１１を介して、上記シャーシ１に対して回動可能に支持されている。
【００５３】
このヘッド昇降操作板９は、上方側、すなわち、前縁側を上記シャーシ１より離間させる方向に回動操作されることにより、上記ヘッドアーム８の先端側部分に当接し、このヘッドアーム８の先端側部分を上方側に回動操作する。また、このヘッド昇降操作板９は、下方側、すなわち、前縁側を上記シャーシ１に接近させる方向に回動操作されると、上記ヘッドアーム８の先端側部分より離間し、このヘッドアーム８の先端側部分が下方側に回動することを可能とする。
【００５４】
そして、上記シャーシ１上には、このシャーシ１の両側側に位置して、左右一対の側壁部が設けられている。これら側壁部間には、図１乃至図４に示すように、記録媒体ホルダとなるカートリッジホルダ５４が配設されている。
【００５５】
このカートリッジホルダ５４は、下面側の略々全面及び前方側が開放された筐体状に構成されている。このカートリッジホルダ５４には、前方側より、上記ディスクカートリッジ１２０，１２１が挿入操作される。このカートリッジホルダ５４は、下面側の両側側部分に、上記ディスクカートリッジ１２０，１２１の下面部の両側側部分を支持する左右一対の支持鍔部６６，６６を有している。
【００５６】
このカートリッジホルダ５４は、前方側より上記ディスクカートリッジ１２０，１２１を挿入操作されると、このディスクカートリッジ１２０，１２１を、天板部と上記両支持鍔部６６，６６との間に挟持して保持する。
【００５７】
このカートリッジホルダ５４の後方側部分には、図５に示すように、上記ディスクカートリッジ１２０，１２１の前端部に当接してこのディスクカートリッジ１２０，１２１の該カートリッジホルダ５４に対する前後方向の位置決めを行う位置決め爪９１，９３が設けられている。
【００５８】
また、上記ディスクカートリッジ１２０，１２１は、上記カートリッジホルダ５４に挿入操作されるとき、上記シャッタ部材１０６，１１７を開蓋操作される。すなわち、上記カートリッジホルダ５４には、図１、図２及び図６に示すように、一側側の側板部の前方側に位置して、シャッタ閉蓋バネ６３及びシャッタ開蓋片９５が設けられている。
【００５９】
また、上記シャッタ開蓋片９５は、上記カートリッジホルダ５４の内方側に向けて突設されている。このシャッタ開蓋片９５は、図７中に矢印Ｇで示すように、上記ディスクカートリッジ１２０，１２１が上記カートリッジホルダ５４に挿入操作されるとき、図７に示すように、上記カートリッジ１０５，１１６の前端側より上記支持溝部１０７内に進入し、上記シャッタ部材１０６，１１７の前端部に当接して、このシャッタ部材１０６，１１７の移動を阻止する。この状態より、上記ディスクカートリッジ１２０，１２１がさらにカートリッジホルダ５４内に挿入されることにより、上記シャッタ部材１０６，１１７は、図８に示すように、開蓋操作される。
【００６０】
上記シャッタ閉蓋バネ６３は、先端側部分を上記カートリッジホルダ５４の前方側に突出させて配設されている。このシャッタ閉蓋バネ６３は、先端側部分が、上記カートリッジホルダ５４の内方側に向けて膨出されるように「く」の字状に屈曲形成されている。このシャッタ閉蓋バネ６３は、図７に示すように、上記ディスクカートリッジ１２０，１２１が上記カートリッジホルダ５４に挿入操作され上記シャッタ開蓋片９５が上記シャッタ部材１０６，１１７の前端部に当接したとき、先端側部分を上記シャッタ閉蓋孔１０８に嵌合させる。
【００６１】
このシャッタ閉蓋バネ６３は、上記ディスクカートリッジ１２０，１２１が上記カートリッジホルダ５４より前方側に抜き取られるとき、上記シャッタ部材１０６，１１７を閉蓋操作した後、先端側部分を上記シャッタ閉蓋孔１０８より抜け出させる。
【００６２】
また、上記カートリッジホルダ５４には、カートリッジ挿入検出レバー５６が回動可能に取付けられている。このカートリッジ挿入検出レバー５６は、図１及び図６に示すように、略々扇形の平板状に形成され、扇の要に相当する部分を上記カートリッジホルダ５４の天板部の他側側の縁部近傍に対し、図１中矢印Ｅ及び矢印Ｆで示すように、支軸５７を介して回動可能に支持されている。このカートリッジ挿入検出レバー５６は、上記カートリッジホルダ５４の他側側に向けて突設された突片部を有している。この突片部の先端側には、上記カートリッジホルダ５４に向けて、カートリッジ保持片５８が突設されている。また、このカートリッジ挿入検出レバー５６は、上記カートリッジホルダ５４の略々中央部に位置させて、カートリッジ挿入検出ピン６２を有している。
【００６３】
このカートリッジ挿入検出レバー５６は、初期状態においては、図６に示すように、上記突片部を上記カートリッジホルダ５４の他側縁部よりも外方側に向けて突出させている。このとき、このカートリッジ挿入検出レバー５６は、上記突片部の後縁部を後述する端縁部１５に当接させることにより、上記カートリッジホルダ５４の上記シャーシ１に対する方向側への移動を阻止している。
【００６４】
また、このカートリッジ挿入検出レバー５６は、上記カートリッジ挿入検出ピン６２を、上記カートリッジホルダ５４の天板部に上記支軸５７を曲率中心として形成された円弧状スリット８８を介して、該カートリッジホルダ５４内に進入させている。この初期状態においては、上記カートリッジ挿入検出ピン６２は、上記支軸５７よりも前方側に位置している。
【００６５】
このカートリッジ挿入検出レバー５６は、このカートリッジ挿入検出レバー５６上に設けられたバネ係止片６１と上記カートリッジホルダ５４の天板部上に該カートリッジ挿入検出レバー５６よりも前方側に位置して設けられたバネ係止片６０との間に張架された引っ張りコイルバネ５９により、上記カートリッジ挿入検出ピン６２を前方側に移動させる方向に回動付勢された状態で、上記初期位置に位置決めされている。
【００６６】
上記カートリッジホルダ５４に上記ディスクカートリッジ１２０，１２１が挿入操作されると、図７に示すように、このディスクカートリッジ１２０，１２１の前端部は、上記カートリッジ挿入検出ピン６２に当接する。
【００６７】
そして、上記ディスクカートリッジ１２０，１２１の上記カートリッジホルダ５４への挿入操作により上記シャッタ部材１０６，１１７の開蓋操作がなされたとき、上記カートリッジ挿入検出レバー５６は、図８において矢印Ｆで示すように、上記カートリッジ挿入検出ピン６２が該ディスクカートリッジ１２０，１２１により押圧されて後方側に移動されることにより、上記引っ張りコイルバネ５９の付勢力に抗して回動操作される。このとき、上記カートリッジ挿入検出レバー５６の突片部は、上記カートリッジホルダ５４の他側縁部より外方側に突出しない状態となるように、このカートリッジホルダ５４上に後退する。
【００６８】
このとき、上記カートリッジ保持片５８は、上記カートリッジホルダ５４内に進入させられ、上記カートリッジ１０５，１１６の被係合凹部１１２に嵌入係合する。上記ディスクカートリッジ１２０，１２１は、上記被係合凹部１１２に上記カートリッジ保持片５８を嵌入係合されることにより、上記カートリッジホルダ５４に対する移動を阻止される。
【００６９】
このカートリッジホルダ５４は、上記シャーシ１の各側壁部間において、このシャーシ１に対する接離方向に移動操作可能に支持され、上記ディスクカートリッジ１２０，１２１を保持した状態で該シャーシ１側に向けて移動操作されることによって、該ディスクカートリッジ１２０，１２１を上記ディスクカートリッジ装着部に装着させる。
【００７０】
すなわち、上記カートリッジホルダ５４の両側面部には、側方側に向けて、左右一対の規制ピン６５，６５が突設されている。これら規制ピン６５，６５は、上記シャーシ１の両側壁部よりも該シャーシ１の外方側に達する程度に突出されている。そして、上記シャーシ１の両側壁部は、図１及び図１３に示すように、上記各規制ピン６５，６５が存在し得る範囲としての欠損部を有している。これら欠損部の後方側には、垂直な、すなわち、上記シャーシ１の主面部に直交する端縁部１４，１５が形成されている。したがって、上記カートリッジホルダ５４は、上記各規制ピン６５，６５が上記各端縁部１４，１５の前方側に位置する状態において、上記シャーシ１に対して移動可能となされている。
【００７１】
そして、上記カートリッジホルダ５４は、上記各規制ピン６５，６５を上記各端縁部１４，１５に当接させた状態で、これら規制ピン６５，６５を該各端縁部１４，１５に沿わせつつ上記シャーシ１側に移動されることにより、保持しているディスクカートリッジ１２０，１２１を上記ディスクカートリッジ装着部に装着させる。
【００７２】
なお、上記カートリッジホルダ５４の上記カートリッジ挿入検出レバー５６が初期状態であるときには、図６及び図７に示すように、このカートリッジ挿入検出レバー５６の突片部は、上記端縁部１５の前方側において、上記シャーシ１の側方側に突出されている。
【００７３】
そして、上記シャーシ１上には、上記各側壁部間に位置して、該シャーシ１に対して前後方向に移動操作可能となされた制御部材となる制御板５５が設けられている。
【００７４】
この制御板５５は、略々平板状に形成され、左右両側縁部の各前方部及び各後方部より、下方に向けて垂下させたカム片部を有している。これらカム片部には、それぞれカム機構を構成するカムスリット６８が設けられている。
【００７５】
上記各カム片部の下端縁側には、両側方側に向けて、ガイドピン７０，７０、７１，７１が突設されている。これらガイドピン７０，７０、７１，７１は、上記シャーシ１の両側壁部に前後方向に亘って形成されたガイド溝１２，１２、１３，１３に対応して挿入係合されている。
【００７６】
すなわち、上記規制板５５は、上記各ガイドピン７０，７０、７１，７１を上記各ガイド溝１２，１２、１３，１３に沿わせて、上記シャーシ１に対して前後方向に移動可能に支持されている。
【００７７】
上記カートリッジホルダ５４は、上記制御板５５の両側のカム片部の間に位置している。そして、このカートリッジホルダ５４は、両側の側面部の前後位置に、上記各カム片部のカムスリット６８，６８，６８，６８に対応して挿通係合される上記カム機構を構成する倣いピン６４，６４，６４，６４を有している。これら倣いピン６４，６４，６４，６４は、上記カートリッジホルダ５４の両側方側に向けて突設されている。
【００７８】
なお、上記カートリッジホルダ５４は、上記各規制ピン６５，６５を、上記制御板５５の前後カム片部の間を介して、これらカム片部よりも側方側まで突出させている。
【００７９】
上記各カムスリット６８，６８，６８，６８は、前方側が下方側、すなわち、上記シャーシ１側となされ、後方側が上方側、すなわち、該シャーシ１より離間した側となされた傾斜部を有して形成されている。
【００８０】
そして、上記カートリッジホルダ５４と上記制御板５５との間には、弾性変位部材となる引っ張りコイルバネ７３が張架されている。この引っ張りコイルバネ７３は、後端側を上記制御板５５に設けられたバネ係止片７２に係止され、前端側を上記カートリッジホルダ５４に設けられたバネ係止片７４に係止されている。すなわち、この引っ張りコイルバネ７３は、上記カートリッジホルダ５４を、上記制御板５５に対して、後方側に向けて付勢している。
【００８１】
そして、この制御板５５は、上記シャーシ１に対して移動操作されることにより、上記各カムスリット６８，６８，６８，６８及び上記各倣いピン６４，６４，６４，６４を介して、上記カートリッジホルダ５４を該シャーシ１に対する接離方向に移動操作する。
【００８２】
すなわち、上記制御板５５が上記シャーシ１に対して前方側に位置するときには、図１３に示すように、上記カートリッジホルダ５４は、上記引っ張りコイルバネ７３の付勢力により、上記各倣いピン６４，６４，６４，６４を上記各カムスリット６８，６８，６８，６８の後端部分に位置させており、上記シャーシ１より離間した高さ位置に保持されている。また、このとき、上記各規制ピン６５，６５は、上記各端縁部１４，１５よりも前方側に位置している。
【００８３】
そして、図１４及び図１５中に矢印Ｎで示すように、上記制御板５５が上記シャーシ１に対して後方側に移動操作されると、図１４及び図１５に示すように、上記各規制ピン６５，６５が上記各端縁部１４，１５よりも前方側に位置している間は、上記カートリッジホルダ５４は、上記制御板５５とともに、後方側に移動操作される。この間、上記カートリッジホルダ５４と上記制御板５５との間の位置関係は、変化しない。
【００８４】
そして、図１５に示すように、上記各規制ピン６５，６５が上記各端縁部１４，１５に対応して当接した後に、さらに、図１６中に矢印Ｎで示すように、上記制御板５５が後方側に移動操作されたときには、上記カートリッジホルダ５４は、該各規制ピン６５，６５を該各端縁部１４，１５に当接させた位置よりも後方側に移動できない。したがって、このとき、上記カートリッジホルダ５４は、図１６中に矢印Ｄで示すように、上記各倣いピン６４，６４，６４，６４を上記各カムスリット６８，６８，６８，６８内に沿わせつつ、また、上記各規制ピン６５，６５を上記各端縁部１４，１５に沿わせつつ、上記シャーシ１側に降下操作される。
【００８５】
このとき、上記各倣いピン６４，６４，６４，６４は、上記各カムスリット６８，６８，６８，６８の前方側部分に移動する。そして、このとき、上記引っ張りコイルバネ７３は、上記カートリッジホルダ５４が上記シャーシ１側に降下されるとともに、上記制御板５５が後方側に移動されることにより、弾性変位されて伸ばされ、弾性力を蓄える。
【００８６】
この図１６に示す状態において、上記カートリッジホルダ５４は、保持しているディスクカートリッジ１２０，１２１を上記シャーシ１上のディスクカートリッジ装着部に装着させることとなる。
【００８７】
すなわち、上記制御板５５は、上記カートリッジホルダ５４を上記シャーシ１側に移動操作することとなる方向、すなわち、後方側に移動操作されるとき、上記引っ張りコイルバネ７３を弾性変位させつつ移動されることとなる。
【００８８】
上記制御板５５は、両側縁部の前後位置にそれぞれ被係止片部を有している。これら被係止片部は、図６乃至図８に示すように、上記制御板５５が前方側位置である初期位置にあるときには、上記ベースフレーム３２の四隅部より上方に向けて突設された係止片３４，３４，３４，３４に当接し、該ベースフレーム３２により該制御板５５が係止されて固定されるようにする。
【００８９】
このとき、上記被係止片部に設けられた被係止溝７５，７５には、上記係止片３４，３４が嵌合し、上記ベースフレーム３２による上記制御板５５の固定を確実なものとする。また、このとき、上記制御板５５は、上記シャーシ１の上記ベースフレーム３２に対する移動も規制している。
【００９０】
そして、上記各被係止片部は、図９乃至図１２に示すように、上記制御板５５が上記初期位置よりも後方側にあるときには、上記各係止片３４，３４，３４，３４より離間し、上記ベースフレーム３２による該制御板５５の固定を解除させる。このとき、上記制御板５５は、上記シャーシ１が上記各ダンパ３１，３１，３１，３１を変形させつつ、上記ベースフレーム３２に対して移動することを可能としている。
【００９１】
そして、上記シャーシ１の下面部の後方側位置には、図１及び図２に示すように、上記制御板５５を移動操作するためのローディングモータ１６が取付けられている。このローディングモータ１６は、図示しない制御回路に制御されて駆動する。このローディングモータ１６は、駆動軸に取付けられた駆動ギヤ１７を、上記シャーシ１に設けられた透孔を介して、このシャーシ１の上面側に突出させている。
【００９２】
上記駆動ギヤ１７には、上記シャーシ１上にギヤ支軸１８を介して回転可能に支持された第１の伝達ギヤ２３の外周ギヤ部２２が噛合している。この第１の伝達ギヤ２３は、上記外周ギヤ部２２と同軸にこの外周ギヤ部２２よりも小径の小径ギヤ部２１を有している。
【００９３】
上記第１の伝達ギヤ２３の小径ギヤ部２１には、上記シャーシ１上にギヤ支軸１９を介して回転可能に支持された第２の伝達ギヤ２６の外周ギヤ部２５が噛合している。この第２の伝達ギヤ２６は、上記外周ギヤ部２５と同軸にこの外周ギヤ部２５よりも小径の小径ギヤ部２４を有している。
【００９４】
上記第２の伝達ギヤ２６の小径ギヤ部２４には、上記シャーシ１上にギヤ支軸２０を介して回転可能に支持された第３の伝達ギヤ２８の外周ギヤ部２７が噛合している。この第３の伝達ギヤ２８は、上面側の主面部に、上記制御板５５と係合する操作ピン２９が上方側に向けて突設され、下面側の主面部に、後述するレック位置検出スイッチ５２及びイジェクト完了検出スイッチ５３を操作するためのスイッチ操作片３０が下方側に向けて突設されている。
【００９５】
上記第３の伝達ギヤ２８の操作ピン２９は、図１及び図６に示すように、上記制御板５５の後縁部より上記シャーシ１側に垂下された係合片部７９の前方側に位置している。
【００９６】
そして、上記制御板５５の下面部には、上記係合片部７９と共働して上記操作ピン２９を前後より挟持するようにして、係合部材７８が取付けられている。この係合部材７８は、上記制御板５５に植設された支軸７７を介し、一端側部分を該制御板５５に対して回動可能に支持されている。この係合部材７８は、上記支軸７７回りに回動されることにより、他端側部分を前後方向に移動可能としている。また、この係合部材７８は、上記支軸７７にコイル部を巻装させて配設された捻りコイルバネ９２により、他端側部分を、後方側、すなわち、上記係合片部７９側に移動させる方向に回動付勢されている。
【００９７】
そして、この係合部材７８は、前後方向に移動可能であるとともに後方側に移動付勢された他端側部分において、上記係合片部７９と共働して、上記操作ピン２９を挟持している。
【００９８】
したがって、上記係合部材７８は、図９に示すように、上記カートリッジホルダ５４への上記ディスクカートリッジ１２０，１２１の前方側よりの挿入が完了され、このディスクカートリッジ１２０，１２１を介して該カートリッジホルダ５４が後方側に押圧され、このカートリッジホルダ５４を介して上記制御板５５が後方側に押圧されたとき、この押圧力により、上記捻りコイルバネ９２の付勢力に抗して該制御板５５に対して回動され、図９中に矢印Ｍで示すように、該制御板５５の後方側への僅かな距離の移動を可能とする。
【００９９】
このとき、上記係合部材７８の他端側部分は、上記係合片部７９から前方側に離間した状態となっている。また、このとき、上記操作ピン２９も、上記係合部材７８の他端側部分とともに、上記係合片部７９から前方側に離間した状態となる。
【０１００】
上記制御板５５は、上記操作ピン２９を介して、上記ローディングモータ１６の駆動力により、前後方向に移動操作される。すなわち、上記制御板５５は、図６に示すように、上記操作ピン２９が上記第３の伝達ギヤ２８の前端縁側に位置する状態より、該第３の伝達ギヤ２８が図６中反時計方向に１８０°に亘って上記ローディングモータ１６の駆動力により回転操作されると、図１２に示すように、該操作ピン２９が該第３の伝達ギヤ２８の後端縁側に位置する状態に到るので、前方側位置より後方側位置に移動操作される。また、逆に、上記制御板５５は、図１２に示すように、が操作ピン２９が上記第３の伝達ギヤ２８の後端縁側に位置する状態より、該第３の伝達ギヤ２８が図１２中時計方向に１８０°に亘って上記ローディングモータ１６の駆動力により回転操作されると、図６に示すように、該操作ピン２９が該第３の伝達ギヤ２８の前端縁側に位置する状態に到るので、後方側位置より前方側位置に移動操作される。
【０１０１】
上記シャーシ１の下面部には、スイッチ基板４７が取付けられている。このスイッチ基板４７上には、それぞれ上記制御回路に接続された複数の押圧スイッチが取付けられている。この複数の押圧スイッチは、ローディング開始スイッチ５０、プレイ位置検出スイッチ８６、レック位置検出スイッチ５２、イジェクト完了検出スイッチ５３、光学ピックアップ位置検出スイッチ５１、ディスクカートリッジ装着検出スイッチ４９、及び、ディスクカートリッジ種別検出スイッチ４８である。
【０１０２】
上記光学ピックアップ位置検出スイッチ５１は、上記光学ピックアップ装置４に対向する位置に配設され、この光学ピックアップ装置４が上記ディスクテーブル２に最も近接される位置、すなわち、該ディスクテーブル２に保持された記録ディスクの最内周部に対向する位置にあるときに、この光学ピックアップ装置４により押圧操作される。
【０１０３】
すなわち、この光学ピックアップ位置検出スイッチ５１により、上記光学ピックアップ装置４が上記ディスクテーブル２に保持された記録ディスクの最内周部に対向する位置にあることが検出される。
【０１０４】
上記ディスクカートリッジ装着検出スイッチ４９は、上記シャーシ１に設けられた透孔を介してこのシャーシ１の上面側に臨み、このシャーシ１上に上記ディスクカートリッジ１２０，１２１が装着されたときに、このディスクカートリッジ１２０，１２１の底面部により押圧操作される。
【０１０５】
すなわち、このディスクカートリッジ装着検出スイッチ４９により、上記シャーシ１上に上記ディスクカートリッジ１２０，１２１が装着されたことが検出される。
【０１０６】
上記ディスクカートリッジ種別検出スイッチ４８は、上記シャーシ１に設けられた透孔を介してこのシャーシ１の上面側に臨み、このシャーシ１上に上記ディスクカートリッジ１２０，１２１が装着されたときに、このディスクカートリッジ１２０，１２１の上記識別用穴１２４に対向する。したがって、このディスクカートリッジ種別検出スイッチ４８は、上記識別用穴１２４が浅いときには押圧操作され、該識別用穴１２４が深いときには押圧操作されない。
【０１０７】
すなわち、上記ディスクカートリッジ種別検出スイッチ４８は、上記識別用穴１２４の深さを検出することによって、上記シャーシ１上に装着されたディスクカートリッジ１２０，１２１の種別や状態、例えば情報信号の記録が可能か否か等を検出する。
【０１０８】
上記ローディング開始スイッチ５０は、図６に示すように、上記制御板５５の後方側部分より下方側に垂下されて設けられた第１のスイッチ押圧片８９により、この制御板５５が初期位置である前方側位置にあるときに、押圧操作されている。
【０１０９】
すなわち、このローディング開始スイッチ５０は、押圧操作されていることにより上記制御板５５が上記初期位置であることを検出し、押圧操作が解除されていることにより該制御板５５が該初期位置より後方側に移動したことを検出する。
【０１１０】
上記プレイ位置検出スイッチ８６は、図１１に示すように、上記制御板５５の前方側部分より下方側に垂下されて設けられた第２のスイッチ押圧片６７により、この制御板５５がプレイ（再生動作）位置である後方側位置に移動されたときに、押圧操作される。
【０１１１】
すなわち、このプレイ位置検出スイッチ８６は、押圧操作されていることにより上記制御板５５の位置が上記プレイ位置であることを検出し、押圧操作が解除されていることにより該制御板５５の位置が該プレイ位置ではないことを検出する。
【０１１２】
上記レック位置検出スイッチ５２は、図１２に示すように、上記第３の伝達ギヤ２８より下方側に垂下されて設けられたスイッチ操作片３０により、上記制御板５５が上記プレイ位置よりもさらに後方のレック（記録動作）位置位置に移動されたときに、押圧操作される。
【０１１３】
すなわち、このレック位置検出スイッチ５２は、押圧操作されていることにより上記制御板５５の位置が上記レック位置であることを検出し、押圧操作が解除されていることにより該制御板５５の位置が該レック位置ではないことを検出する。
【０１１４】
上記イジェクト完了検出スイッチ５３は、図６に示すように、上記第３の伝達ギヤ２８のスイッチ操作片３０により、上記制御板５５が上記初期位置に移動されたときに、押圧操作される。
【０１１５】
すなわち、このイジェクト完了検出スイッチ５３は、押圧操作されていることにより上記制御板５５の位置が上記初期位置に戻っていることを検出し、押圧操作が解除されていることにより該制御板５５の位置が該初期位置ではないことを検出する。
【０１１６】
そして、上記磁気ヘッド装置７は、上記制御板５５の前後方向の移動に連動して上記ヘッド昇降操作板９が昇降操作されることにより、上記対物レンズ５に対して接離するように昇降操作される。
【０１１７】
すなわち、上記ヘッド昇降操作板９は、側縁部分を、上記制御板５５に設けられたヘッド操作カム部８０に載置させている。このヘッド昇降操作板９は、上記制御板５５が上記初期位置より上記プレイ位置に到る間には、図１３乃至図１６に示すように、上記ヘッド操作カム部８０により、前縁側を上方側位置とする状態に維持されており、上記磁気ヘッド装置７を上記対物レンズ５より離間した上方側位置に保持する。
【０１１８】
そして、上記ヘッド昇降操作板９は、上記制御板５５が上記レック位置に到ると、図１７に示すように、上記ヘッド操作カム部８０への載置位置がこのヘッド操作カム部８０の前端側に設けられた下降部８１となり、前縁側を下方側位置とする状態に回動され、上記磁気ヘッド装置７を上記対物レンズ５に接近する下方側位置とする。
【０１１９】
また、上記ベースフレーム３２の前方側位置には、前蓋３６が、上縁側に取付けられた支軸３５回りに回動可能に支持されている。すなわち、この前蓋３６は、下縁側を前後方向に移動可能として支持され、図１中矢印Ｋで示すように、該下縁側を後方側に移動させることにより、上記ベースフレーム３２の前方部を開蓋状態として、上記ディスクカートリッジ１２０，１２１の通過を可能とする。すなわち、上記ディスクカートリッジ１２０，１２１は、下端側を後方側に移動させた上記前蓋３６の下方を通過する。
【０１２０】
上記前蓋３６は、上記ベースフレーム３２の側面部に回動可能に取付けられた蓋開閉レバー３９の回動に連動して、回動操作される。すなわち、この蓋開閉レバー３９は、後端側に設けられた支持孔４０に挿通され上記ベースフレーム３２の側面部に設けられた軸支持孔４１に支持される支軸を介して、回動可能に支持されている。この蓋開閉レバー３９は、前端側を上下方向に移動可能としている。この蓋開閉レバー３９の前端側には、連係スリット４４が成形された連係片部４３が設けられている。上記連係スリット４４には、上記前蓋３６の下縁側より側方側に突設された連係ピン３７が係合している。
【０１２１】
したがって、上記前蓋３６は、上記蓋開閉レバー３９が前端側を上方側とする方向に回動されると、開蓋操作され、該蓋開閉レバー３９が前端側を下方側とする方向に回動されると、閉蓋操作される。なお、上記前蓋３６は、上記蓋開閉レバー３９が前端側を下方側とする方向に回動されていても、前方側より押圧操作されることにより、下縁側を方向側に移動させる状態で回動操作され、開蓋される。
【０１２２】
そして、上記蓋開閉レバー３９は、この蓋開閉レバー３９に設けられたバネ係止孔４５と上記  ベースフレーム３２に設けられたバネ係止部４７との間に張架された引っ張りコイルバネ４６により、図１中矢印Ｌで示すように、前端側を下方側とする方向に回動付勢されている。
【０１２３】
また、上記蓋開閉レバー３９は、上記ベースフレーム３２に臨む側面部に、中途部が下方側に向けて膨出された倣い板部４２を有している。
【０１２４】
そして、上記前蓋３６は、上記制御板５５の前後方向の移動に連動して上記蓋開閉レバー３９が回動操作されることにより、上記ディスクカートリッジ１２０，１２１の移動を阻害しない状態に開閉操作される。すなわち、上記蓋開閉レバー３９は、上記倣い板部４２を、上記制御板５５より側方側に突設された蓋開閉操作ピン６９に載置させている。
【０１２５】
この蓋開閉レバー３９は、上記制御板５５が上記初期位置にあるときには、図１３に示すように、上記蓋開閉ピン６９が上記倣い板部４２の前端側部分を載置させていることにより、前端側部分を下方側に位置させ、上記前蓋３６を閉蓋状態に維持している。
【０１２６】
また、上記蓋開閉レバー３９は、上記制御板５５が上記プレイ位置、または、上記レック位置にあるときには、図１５乃至図１７に示すように、上記蓋開閉ピン６９が上記倣い板部４２の後端側部分を載置させていることにより、前端側部分を下方側に位置させ、上記前蓋３６を閉蓋状態に維持している。
【０１２７】
そして、上記蓋開閉レバー３９は、上記制御板５５が上記初期位置より上記プレイ位置に到る間の途中の一定区間において、図１４に示すように、上記蓋開閉ピン６９が上記倣い板部４２の中央部分を載置させることにより、前端側部分を上方側とする方向に回動され、上記前蓋３６を開蓋状態とする。
【０１２８】
上述のように構成された本発明に係る記録媒体ローディング機構を有するディスクプレーヤ装置においては、図６に示すように、初期状態であるときに、図７及び図１３中に矢印Ｇで示すように、上記ディスクカートリッジ１２０，１２１が、前方側より、上記カートリッジホルダ５４に挿入操作される。このとき、上記前蓋３６は、上記ディスクカートリッジ１２０，１２１の前端部により押圧されて開蓋される。
【０１２９】
そして、上記ディスクカートリッジ１２０，１２１が、図８に示すように、上記カートリッジホルダ５４に対して、前端部を上記位置決め爪９１，９３に当接させる所定位置まで挿入されると、上記シャッタ部材１０６，１１７が開蓋操作される。また、このとき、上記カートリッジ挿入検出レバー５６は、上記ディスクカートリッジ１２０，１２１により、図８中矢印Ｆで示すように、上記突片部を上記カートリッジホルダ５４の他側縁部より外方側に突出させないように該カートリッジホルダ５４上に後退させる状態に回動される。
【０１３０】
この状態で、さらに、上記ディスクカートリッジ１２０，１２１を、図８中矢印Ｇで示すように、後方側に押圧すると、図９に示すように、上記係合部材７８が上記制御板５５に対して回動され、この制御板５５は、図９中矢印Ｍで示すように、後方側に僅かな距離だけ移動される。すると、図１８に示すように、上記ローディング開始スイッチ５０に対する押圧操作が解除され、このローディング開始スイッチ５０を経た検出出力が“Ｈ”レベルより“Ｌ”レベルに変わる。
【０１３１】
上記ローディング開始スイッチ５０を経た検出出力が“Ｈ”レベルより“Ｌ”レベルに変わると、上記制御回路は、図１８に示すように、上記ローディングモータ１６を＋方向（図６中において上記第３の伝達ギヤ２８が反時計方向に回転操作されることとなる方向）に駆動させる。
【０１３２】
上記ローディングモータ１６が＋方向に駆動されることにより、上記制御板５５は、このローディングモータ１６の駆動力により、図１０、図１４及び図１５中に矢印Ｎで示すように、後方側に向けて移動操作される。
【０１３３】
そして、上記制御板５５が上記プレイ位置に到ると、図１１に示すように、上記プレイ位置検出スイッチ８６が押圧操作され、図１８に示すように、このプレイ位置検出スイッチ８６を経た検出出力が“Ｌ”レベルより“Ｈ”レベルに変わる。
【０１３４】
上記プレイ位置検出スイッチ８６を経た検出出力が“Ｌ”レベルより“Ｈ”レベルに変わると、上記制御回路は、図１８に示すように、上記ローディングモータ１６を停止させる（図１８中「０」で示す状態）。
【０１３５】
このとき、上記カートリッジホルダ５４は、図１６中に矢印Ｄで示すように、上記シャーシ１側に降下操作されており、保持しているディスクカートリッジ１２０，１２１を該シャーシ１上のディスクカートリッジ装着部に装着させる。上記カートリッジホルダ５４が上記各規制ピン６５，６５を上記各端縁部１４，１５に沿わせつつ上記シャーシ１側に降下操作されるとき、上記引っ張りコイルバネ７３は、弾性変位されて伸ばされる。
【０１３６】
上記ディスクカートリッジ１２０，１２１の記録ディスクは、上記ディスクテーブル２のマグネットに上記チャッキングプレート１０２を吸引され、このディスクテーブル２上に位置決めされて保持される。
【０１３７】
この状態で、上記スピンドルモータによるディスク記録ディスクの回転操作、及び、上記光学ピックアップ装置４による該記録ディスクよりの情報信号の読み取り操作が行え、再生動作が実行できる。
【０１３８】
そして、上記制御回路に、記録動作を実行するべき指示が入力されると、図１８に示すように、この制御回路は、上記ローディングモータ１６を＋方向に駆動させる。すると、上記制御板５５は、図１２及び図１７中に矢印Ｎで示すように、後方側に移動操作され、図１２及び図１７に示すように、上記レック位置に移動される。
【０１３９】
すなわち、上記制御板５５が上記レック位置に到ると、図１２に示すように、上記レック位置検出スイッチ５２が押圧操作され、図１８に示すように、このレック位置検出スイッチ５２を経た検出出力が“Ｌ”レベルより“Ｈ”レベルに変わる。
【０１４０】
上記レック位置検出スイッチ５２を経た検出出力が“Ｌ”レベルより“Ｈ”レベルに変わると、上記制御回路は、図１８に示すように、上記ローディングモータ１６を停止させる。
【０１４１】
上記制御板５５が上記レック位置に到ると、図１７において矢印Ｓで示すように、上記ヘッド昇降操作板９の前縁側が降下することにより、上記磁気ヘッド装置７は、上記対物レンズ５側に降下操作され、上記記録ディスクに略々摺接する状態となされる。
【０１４２】
この状態で、上記スピンドルモータによるディスク記録ディスクの回転操作が行えるとともに、上記光学ピックアップ装置４及び上記磁気ヘッド装置７による該記録ディスクに対する情報信号の書き込み操作が行え、記録動作が実行できる。
【０１４３】
そして、上記制御回路に、再生動作に戻るべき指示が入力されると、図１８に示すように、この制御回路は、上記ローディングモータ１６を−方向（図６中において上記第３の伝達ギヤ２８が時計方向に回転操作されることとなる方向）に駆動させる。すると、上記制御板５５は、図１２及び図１７中に矢印Ｐで示すように、前方側に移動操作され、図１１及び図１６に示すように、上記プレイ位置に移動される。
【０１４４】
このとき、上記制御板５５は、図１８に示すように、上記プレイ位置検出スイッチ８６を経た検出出力が“Ｈ”レベルより“Ｌ”レベルに変わるまで上記ローディングモータ１６が−方向に駆動されることによって、一旦は、上記プレイ位置よりもやや前方側まで移動操作される。次に、上記制御板５５は、上記ローディングモータ１６が＋方向に駆動されることによって、再び後方側に向けて移動操作され、上記プレイ位置検出スイッチ８６を経た検出出力が“Ｌ”レベルより“Ｈ”レベルに変わったときに該ローディングモータ１６が停止されることによって、上記プレイ位置にて停止される。
【０１４５】
このようにして、上記制御板５５は、上記初期位置より上記プレイ位置まで移動操作されたときと同様の状態で、該プレイ位置にて停止される。
【０１４６】
この状態で、上記スピンドルモータによるディスク記録ディスクの回転操作、及び、上記光学ピックアップ装置４による該記録ディスクよりの情報信号の読み取り操作が行え、再生動作が実行できる。
【０１４７】
そして、上記制御回路に、イジェクト動作を行うべき指示が入力されると、図１８に示すように、この制御回路は、上記ローディングモータ１６を−方向に駆動させる。すると、上記制御板５５は、図１１及び図１６中に矢印Ｐで示すように、前方側に移動操作される。
【０１４８】
上記制御板５５が前方側に移動操作されることにより、上記カートリッジホルダ５４は、上記カートリッジホルダ５４は、図１５中矢印Ｕで示すように、上記シャーシ１より離間されて上昇操作される。なお、上記シャーシ１には、上記端縁部１４の下方側部分に対向して、上記シャーシ１側に降下されているカートリッジホルダ５４の規制ピン６５の前方側への移動を阻止するための端縁部が形成されている。
【０１４９】
そして、図１５に示すように、上記制御板５５が前方側に移動操作されることにより上記カートリッジホルダ５４が上記シャーシ１より離間されて上昇操作されるとき、上記引っ張りコイルバネ７３は、該制御板５５が上記初期位置にあるときと同一の状態である初期状態まで復帰する。
【０１５０】
すなわち、上記カートリッジホルダ５４は、上記制御板５５が前方側に移動操作されるとき、上記各倣いピン６４，６４，６４，６４が上記各カム溝６８，６８，６８，６８に倣うことにより上記シャーシ１より離間されて上昇操作されるのであるが、上記引っ張りコイルバネ７３の弾性的復元力によっても、上昇することを幇助されている。
【０１５１】
すなわち、上記ディスクカートリッジ１２０，１２１は、上記マグネットの上記チャッキングプレート１０２に対する吸引力により上記シャーシ１より離間させて上昇させることに負荷を生じさせるが、上記引っ張りコイルバネ７３の弾性的復元力により上昇することを幇助されるので、容易に上昇できるようになっている。
【０１５２】
したがって、このディスクプレーヤ装置においては、上記カートリッジホルダ５４を上記シャーシ１より離間させるときの上記ローディングモータ１６に対する負荷が軽減されている。
【０１５３】
そして、上記制御板５５は、図１０、図８及び図１４中に矢印Ｐで示すように、前方側に移動操作され、図７及び図１３に示すように、上記初期位置に移動される。このように、上記制御板５５が上記初期位置に向けて前方側に移動操作されるとき、図１４に示すように、上記蓋開閉レバー３９を介して、上記前蓋３６が開蓋操作されるので、上記ディスクカートリッジ１２０，１２１は、該前蓋３６に当接されることなく、該前蓋３６の下方を、上記シャーシ１上を前方側に向けて移動操作される。
【０１５４】
このとき、上記制御板５５は、上記制御回路が、図１８に示すように、上記ローディング開始スイッチ５０を経た検出出力が“Ｌ”レベルより“Ｈ”レベルに変わった後、上記イジェクト完了検出スイッチ５３を経た検出出力が“Ｌ”レベルより“Ｈ”レベルに変わったときに、上記ローディングモータ１６を停止させることにより、上記初期位置にて停止される。
【０１５５】
このとき、上記シャッタ部材１０６，１１７は、上記シャッタ閉蓋バネ６３により、閉蓋操作されている。
【０１５６】
また、上記カートリッジ挿入検出レバー５６は、図７中矢印Ｅで示すように、上記突片部を上記端縁部１５の前方側において上記シャーシ１の側縁部よりも側方側に突出させ、上記カートリッジホルダ５４の該シャーシ１に対する後方側への移動を阻止する。
【０１５７】
この状態で、上記ディスクカートリッジ１２０，１２１は、図６に示すように、上記カートリッジホルダ５４より前方側に抜き取ることができる。
【０１５８】
【発明の効果】
上述のように、本発明に係る記録媒体ローディング機構においては、シャーシに対して移動操作されることにより記録媒体を保持した記録媒体ホルダを該シャーシ上の記録媒体装着部に向けて移動操作する制御部材は、弾性変位部材を伸長させつつ移動される。
【０１５９】
したがって、上記制御部材は、上記記録媒体ホルダを上記記録媒体装着部より離間する方向に移動操作するとき、上記弾性変位部材の弾性復元力により幇助されつつ移動される。
【０１６０】
そのため、上記記録媒体ホルダを上記記録媒体装着部より離間させるとき、上記制御部材を移動させることに対する負荷は、上記弾性変位部材の弾性復元力に相当する分だけ軽減される。この制御部材をモータにより移動操作することとした場合、このモータは、加えられる負荷が軽減される分だけ、小型化を図ることができ、また、弾性変位部材を制御部材と記録媒体ホルダとの間に張架して、伸長させるようにしたので、記録媒体ローディング機構を薄型化することができる。
【０１６１】
すなわち、本発明は、記録媒体を吸着保持する記録媒体装着部を有する記録媒体ローディング機構であって、アンローディング動作時に発生する負荷が軽減され、装置構成の小型化、軽量化が可能となされた記録媒体ローディング機構を提供することができるものである。
【図面の簡単な説明】
【図１】本発明に係る記録媒体ローディング機構の構成を示す分解斜視図である。
【図２】上記記録媒体ローディング機構の構成を透視して示す平面図である。
【図３】上記記録媒体ローディング機構の構成を透視して示す右側面図である。
【図４】上記記録媒体ローディング機構の構成を透視して示す左側面図である。
【図５】上記記録媒体ローディング機構の構成を透視して示す背面図である。
【図６】上記記録媒体ローディング機構の要部の初期状態における構成を示す平面図である。
【図７】上記記録媒体ローディング機構の要部のディスクカートリッジが挿入され始めた状態を示す平面図である。
【図８】上記記録媒体ローディング機構の要部のディスクカートリッジが挿入された状態を示す平面図である。
【図９】上記記録媒体ローディング機構の要部のローディング動作が開始される状態を示す平面図である。
【図１０】上記記録媒体ローディング機構の要部のローディング動作の途中の状態を示す平面図である。
【図１１】上記記録媒体ローディング機構の要部のローディング動作が完了された状態（プレイ位置）を示す平面図である。
【図１２】上記記録媒体ローディング機構の要部のローディング動作が完了された状態（レック位置）を示す平面図である。
【図１３】上記記録媒体ローディング機構の要部のディスクカートリッジが挿入され始めた状態を示す右側面図である。
【図１４】上記記録媒体ローディング機構の要部のローディング動作が開始された状態を示す右側面図である。
【図１５】上記記録媒体ローディング機構の要部のローディング動作の途中の状態を示す右側面図である。
【図１６】上記記録媒体ローディング機構の要部のローディング動作が完了された状態（プレイ位置）を示す右側面図である。
【図１７】上記記録媒体ローディング機構の要部のローディング動作が完了された状態（レック位置）を示す右側面図である。
【図１８】上記記録媒体ローディング機構におけるローディングモータ及び検出スイッチの動作の関係を示すタイムチャートである。
【図１９】上記記録媒体ローディング機構において使用される記録再生兼用ディスクカートリッジの上面側より臨んだ斜視図である。
【図２０】上記記録再生兼用ディスクカートリッジの底面側より臨んだ斜視図である。
【図２１】上記記録媒体ローディング機構において使用される再生専用ディスクカートリッジの上面側より臨んだ斜視図である。
【図２２】上記再生専用ディスクカートリッジの底面側より臨んだ斜視図である。
【符号の説明】
１  シャーシ
２  ディスクテーブル
３  位置決めピン
４  光学ピックアップ装置
５４  カートリッジホルダ
５５  制御板
７３  引っ張りコイルバネ
１２０  記録再生兼用ディスクカートリッジ
１２１  再生専用ディスクカートリッジ
【図１】
0003733623.tif 000002
【図２】
0003733623.tif 000003
【図３】
0003733623.tif 000004
【図４】
0003733623.tif 000005
【図５】
0003733623.tif 000006
【図６】
0003733623.tif 000007
【図７】
0003733623.tif 000008
【図８】
0003733623.tif 000009
【図９】
0003733623.tif 000010
【図１０】
0003733623.tif 000011
【図１１】
0003733623.tif 000012
【図１２】
0003733623.tif 000013
【図１３】
0003733623.tif 000014
【図１４】
0003733623.tif 000015
【図１５】
0003733623.tif 000016
【図１６】
0003733623.tif 000017
【図１７】
0003733623.tif 000018
【図１８】
0003733623.tif 000019
【図１９】
0003733623.tif 000020
【図２０】
0003733623.tif 000021
【図２１】
0003733623.tif 000022
【図２２】
0003733623.tif 000023